(57)【要約】【課題】電話端末装置を鳴動させることなく電話端末装置の所属ユーザの状況を確認できる電話端末装置等を実現する。【解決手段】本発明のファクシミリ装置１００は、複数の異なる電話番号が割り当てられ、電話番号に着信があったときに必要に応じて鳴動する鳴動部１０５と、電話番号に着信があったときに必要に応じて所定のメッセージを通知する応答部１０４とを備え、複数の異なる電話番号のうち、少なくとも１つの電話番号をメッセージ応答用電話番号に設定し、着信した電話番号がメッセージ応答用電話番号であるとき、鳴動部１０５は、鳴動動作を行わず、応答部１０４は、着信した電話番号の発信者に所定のメッセージを通知する。これにより、ファクシミリ装置１００を鳴動させることなくファクシミリ装置１００の所属ユーザの状況を確認できるファクシミリ装置１００を実現することができる。【選択図】図１
2009005027.tif 000002
【特許請求の範囲】
【請求項１】
複数の異なる電話番号が割り当てられた電話端末装置において、
上記電話番号に着信があったときに必要に応じて鳴動する鳴動手段と、
上記電話番号に着信があったときに必要に応じて所定のメッセージを通知するメッセージ通知手段とを備え、
上記複数の異なる電話番号のうち、少なくとも１つの電話番号をメッセージ応答用電話番号に設定し、着信した電話番号が上記メッセージ応答用電話番号であるとき、
上記鳴動手段は、鳴動動作を行わず、
上記メッセージ通知手段は、着信した電話番号の発信者に所定のメッセージを通知することを特徴とする電話端末装置。
【請求項２】
上記電話端末装置を使用するユーザを識別するための識別データを無線通信により受信する識別データ受信手段を備え、
上記メッセージ通知手段は、上記識別データ受信手段によって受信された識別データそれぞれに対応付けられたメッセージを上記発信者に通知することを特徴とする請求項１に記載の電話端末装置。
【請求項３】
上記メッセージ通知手段が通知するメッセージを識別データに対応付けて記憶するメッセージ記憶部を備え、
上記メッセージ通知手段は、上記識別データ受信手段によって受信された識別データに対応付けられたメッセージを、上記メッセージ記憶部から読み出して、上記発信者に通知することを特徴とする請求項２に記載の電話端末装置。
【請求項４】
上記メッセージ通知手段が通知するメッセージは、書き換え可能であることを特徴とする請求項１から３までのいずれか１項に記載の電話端末装置。
【請求項５】
複数の異なる電話番号が割り当てられた電話端末装置の制御方法であって、
鳴動手段が、上記電話番号に着信があったときに必要に応じて鳴動する鳴動ステップと、
メッセージ通知手段が、上記電話番号に着信があったときに必要に応じて所定のメッセージを通知するメッセージ通知ステップとを含み、
上記複数の異なる電話番号のうち、少なくとも１つの電話番号をメッセージ応答用電話番号に設定し、着信した電話番号が上記メッセージ応答用電話番号であるとき、
上記鳴動ステップでは、上記鳴動手段が鳴動動作を行わないようにし、
上記メッセージ通知ステップで、上記メッセージ通知手段が着信した電話番号の発信者に所定のメッセージを通知するように制御することを特徴とする電話端末装置の制御方法。
【請求項６】
複数の異なる電話番号が割り当てられた電話端末装置と、該電話端末装置を使用するユーザに所有させるものであって、該ユーザ毎に割り当てられた識別データを発信する識別端末とで構成された通信システムにおいて、
上記電話端末装置は、
上記電話番号に着信があったときに必要に応じて鳴動する鳴動手段と、
上記電話番号に着信があったときに必要に応じて所定のメッセージを通知するメッセージ通知手段とを備え、
上記複数の異なる電話番号のうち、少なくとも１つの電話番号をメッセージ応答用電話番号に設定し、着信した電話番号が上記メッセージ応答用電話番号であるとき、
上記鳴動手段は、鳴動動作を行わず、
上記メッセージ通知手段は、着信した電話番号の発信者に所定のメッセージを通知することを特徴とする通信システム。
【請求項７】
請求項１から４までのいずれか１項に記載の電話端末装置を動作させる電話端末装置の制御プログラムであって、コンピュータを上記の各手段として機能させるための電話端末装置制御プログラム。
【請求項８】
請求項７に記載の電話端末装置制御プログラムを記録したコンピュータ読み取り可能な記録媒体。
【発明の詳細な説明】
【技術分野】
【０００１】
本発明は、自動応答を行う電話端末装置、特に複数の異なる電話番号が割り当てられ、特定の電話番号への着信時には必ず応答を行う電話端末装置に関するものである。
【背景技術】
【０００２】
従来から、留守番機能を有する電話端末が利用されている。これは、ユーザが着信に応対できない場合に、発信先からのメッセージを記録するものである。そして、留守番機能は、ユーザが設定することで利用可能となる構成が一般的である。
【０００３】
また、近年では、通常の着信モードから留守応答を行う留守モードへの切り替えをユーザが操作部の操作を行うことなく自動的に行うための技術も開示されている。例えば、それぞれダイヤルイン番号が割り当てられた無線子機を備え、ダイヤルイン番号毎に留守応答機能を有する電話端末であって、無線子機が通信圏外に出たときに当該ダイヤルイン番号に対応する電話端末の動作モードを留守モードへ自動的に切り替えるという技術である。さらに、引用文献１では、電話端末のユーザに識別端末を所有させ、着信時に所定の範囲内に応答ユーザに対応する識別端末が存在すれば通常の着信となり、応答ユーザに対応する識別端末が存在しなければ留守応答を行うという技術が開示されている。
【特許文献１】特開２００５−３３６１４号公報（公開日：２００５年２月３日）
【発明の開示】
【発明が解決しようとする課題】
【０００４】
しかしながら、上記引用文献１の構成では、以下のような問題を生じる。すなわち、電話発信者が、相手の電話端末を鳴動させたくはないが、相手先の状況を確認したい場合に対応できない。具体的には、電話端末の近辺に所属ユーザが存在すると電話端末は留守応答とはならず、鳴動してしまう。
【０００５】
本発明は、上記の問題点に鑑みてなされたものであり、その目的は、電話端末装置を鳴動させることなく電話端末装置の所属ユーザの状況を確認できる電話端末装置等を実現することにある。
【課題を解決するための手段】
【０００６】
本発明者は、鋭意検討した結果、１つの電話端末装置に対し複数の異なる電話番号を割り当て、その中の少なくとも１つの電話番号をメッセージ応答専用の電話番号とすることで、上記課題を解決できることを見出した。
【０００７】
すなわち、上記課題を解決するために、本発明に係る電話端末装置は、複数の異なる電話番号が割り当てられた電話端末装置において、上記電話番号に着信があったときに必要に応じて鳴動する鳴動手段と、上記電話番号に着信があったときに必要に応じて所定のメッセージを通知するメッセージ通知手段とを備え、上記複数の異なる電話番号のうち、少なくとも１つの電話番号をメッセージ応答用電話番号に設定し、着信した電話番号が上記メッセージ応答用電話番号であるとき、上記鳴動手段は、鳴動動作を行わず、上記メッセージ通知手段は、着信した電話番号の発信者に所定のメッセージを通知することを特徴としている。
【０００８】
上記の構成によれば、割り当てられた複数の異なる電話番号うちからメッセージ応答用の電話番号が設定される。そして、メッセージ応答用の電話番号に着信した場合、鳴動手段が鳴動動作を行わないので、電話端末装置が鳴動することはない。また、メッセージ応答用の電話番号に着信すると、着信した電話番号の発信者に所定のメッセージが通知される。これにより、発信者は、電話端末を鳴動させることなく、所定のメッセージを受信することができる。
【０００９】
ここで、所定のメッセージとしては、「在宅中です」「ただいま電話は受けつけません」等が考えられる。
【００１０】
本発明に係る電話端末装置では、上記電話端末装置を使用するユーザを識別するための識別データを無線通信により受信する識別データ受信手段を備え、上記メッセージ通知手段は、上記識別データ受信手段によって受信された識別データそれぞれに対応付けられたメッセージを発信者に通知するものであることが好ましい。
【００１１】
上記の構成によれば、メッセージ通知手段が発信者に通知するメッセージは、識別データ受信手段によって受信された識別データにそれぞれ対応付けられたメッセージとなる。これにより、発信者は、識別データにそれぞれ対応付けられたメッセージを受信することができる。
【００１２】
本発明に係る電話端末装置では、上記メッセージ通知手段が通知するメッセージを識別データに対応付けて記憶するメッセージ記憶部を備え、上記メッセージ通知手段は、上記識別データ受信手段によって受信された識別データに対応付けられたメッセージを、上記メッセージ記憶部から読み出して、上記発信者に通知するものであってもよい。
【００１３】
上記の構成によれば、自装置に備えられたメッセージ記憶部に識別データと対応付けられたメッセージが記憶される。これにより、メッセージ通知手段が通知するメッセージを自装置の内部に記憶しておくことができる。
【００１４】
本発明に係る電話端末装置では、上記メッセージ通知手段が通知するメッセージは、書き換え可能であるものであってもよい。
【００１５】
上記の構成によれば、メッセージ通知手段が通知するメッセージを変更、追加することができる。これにより、ユーザの状況に最適なメッセージが存在しない場合であっても、最適なメッセージを追加することで、ユーザの状況に最適なメッセージを発信者に通知することができる。
【００１６】
上記課題を解決するために、本発明に係る電話端末装置の制御方法は、複数の異なる電話番号が割り当てられた電話端末装置の制御方法であって、鳴動手段が、上記電話番号に着信があったときに必要に応じて鳴動する鳴動ステップと、メッセージ通知手段が、上記電話番号に着信があったときに必要に応じて所定のメッセージを通知するメッセージ通知ステップとを含み、上記複数の異なる電話番号のうち、少なくとも１つの電話番号をメッセージ応答用電話番号に設定し、着信した電話番号が上記メッセージ応答用電話番号であるとき、上記鳴動ステップでは、上記鳴動手段が鳴動動作を行わないようにし、上記メッセージ通知ステップで、上記メッセージ通知手段が着信した電話番号の発信者に所定のメッセージを通知するように制御することを特徴としている。
【００１７】
上記の方法によれば、割り当てられた複数の異なる電話番号うちからメッセージ応答用の電話番号が設定される。そして、メッセージ応答用の電話番号に着信した場合、鳴動手段が鳴動動作を行わないので、電話端末装置が鳴動することはない。また、メッセージ応答用の電話番号に着信すると、着信した電話番号の発信者に所定のメッセージが通知される。これにより、発信者は、電話端末を鳴動させることなく、所定のメッセージを受信することができる。
【００１８】
上記課題を解決するために、本発明に係る通信システムは、複数の異なる電話番号が割り当てられた電話端末装置と、該電話端末装置を使用するユーザに所有させるものであって、該ユーザ毎に割り当てられた識別データを発信する識別端末とで構成された通信システムにおいて、上記電話端末装置は、上記電話番号に着信があったときに必要に応じて鳴動する鳴動手段と、上記電話番号に着信があったときに必要に応じて所定のメッセージを通知するメッセージ通知手段とを備え、上記複数の異なる電話番号のうち、少なくとも１つの電話番号をメッセージ応答用電話番号に設定し、着信した電話番号が上記メッセージ応答用電話番号であるとき、上記鳴動手段は、鳴動動作を行わず、上記メッセージ通知手段は、着信した電話番号の発信者に所定のメッセージを通知することを特徴としている。
【００１９】
上記の構成によれば、割り当てられた複数の異なる電話番号うちからメッセージ応答用の電話番号が設定される。そして、メッセージ応答用の電話番号に着信した場合、鳴動手段が鳴動動作を行わないので、電話端末装置が鳴動することはない。また、メッセージ応答用の電話番号に着信するとメッセージ通知手段は、識別データ受信手段によって受信された識別データにそれぞれ対応付けられたメッセージを、着信した電話番号の発信者に通知する。そして、識別データはユーザ毎に割り当てられた識別端末から発信されたものである。よって、識別端末と対応付けられたメッセージは、ユーザ毎に対応付けられたメッセージとなる。しがたって、発信者は、ユーザと対応付けられたメッセージを受信することができる。そして、発信者は、各ユーザに対応付けられたメッセージを受信することにより各ユーザの状況を確認することができる。
【００２０】
なお、上記電話端末装置は、コンピュータによって実現してもよく、この場合には、コンピュータを上記各手段として動作させることにより上記電話端末装置をコンピュータにて実現させる電話端末装置の制御プログラム、およびそれを記録したコンピュータ読み取り可能な記録媒体も、本発明の範疇に入る。
【発明の効果】
【００２１】
以上のように、本発明に係る電話端末装置は、複数の異なる電話番号が割り当てられた電話端末装置において、上記電話番号に着信があったときに必要に応じて鳴動する鳴動手段と、上記電話番号に着信があったときに必要に応じて所定のメッセージを通知するメッセージ通知手段とを備え、上記複数の異なる電話番号のうち、少なくとも１つの電話番号をメッセージ応答用電話番号に設定し、着信した電話番号が上記メッセージ応答用電話番号であるとき、上記鳴動手段は、鳴動動作を行わず、上記メッセージ通知手段は、着信した電話番号の発信者に所定のメッセージを通知するものである。
【００２２】
これにより、着信した電話番号の発信者は、電話端末を鳴動させることなく、メッセージを受信することができる。
【００２３】
また、本発明に係る電話端末装置の制御方法は、複数の異なる電話番号が割り当てられた電話端末装置の制御方法であって、鳴動手段が、上記電話番号に着信があったときに必要に応じて鳴動する鳴動ステップと、メッセージ通知手段が、上記電話番号に着信があったときに必要に応じて所定のメッセージを通知するメッセージ通知ステップとを含み、上記複数の異なる電話番号のうち、少なくとも１つの電話番号をメッセージ応答用電話番号に設定し、着信した電話番号が上記メッセージ応答用電話番号であるとき、上記鳴動ステップでは、上記鳴動手段が鳴動動作を行わないようにし、上記メッセージ通知ステップで、上記メッセージ通知手段が着信した電話番号の発信者に所定のメッセージを通知するように制御するものである。
【００２４】
これにより、着信した電話番号の発信者は、電話端末を鳴動させることなく、メッセージを受信することができる。
【００２５】
また、本発明に係る通信システムは、複数の異なる電話番号が割り当てられた電話端末装置と、該電話端末装置を使用するユーザに所有させるものであって、該ユーザ毎に割り当てられた識別データを発信する識別端末とで構成された通信システムにおいて、上記電話端末装置は、上記電話番号に着信があったときに必要に応じて鳴動する鳴動手段と、上記電話番号に着信があったときに必要に応じて所定のメッセージを通知するメッセージ通知手段とを備え、上記複数の異なる電話番号のうち、少なくとも１つの電話番号をメッセージ応答用電話番号に設定し、着信した電話番号が上記メッセージ応答用電話番号であるとき、上記鳴動手段は、鳴動動作を行わず、上記メッセージ通知手段は、着信した電話番号の発信者に所定のメッセージを通知するものである。
【００２６】
これにより、着信した電話番号の発信者は、各ユーザに対応付けられたメッセージを受信することにより各ユーザの状況を確認することができる。
【発明を実施するための最良の形態】
【００２７】
本発明の一実施の形態について図１から図５に基づいて説明すれば、以下のとおりである。本発明は、複数の異なる電話番号が割り当てられた、応答機能を有する一般的な電話端末装置すべてに適応できるが、ここでは、電話端末装置をファクシミリ装置とした場合を例に具体的に説明する。なお、ファクシミリ通信、電話通信等の通信機能については従来の方法を用いて行うことが可能であり、本明細書では通信機能についての詳細な説明は省略する。
【００２８】
図1は、本実施の形態に係るファクシミリ装置１００のブロック図である。図1に示すように、ファクシミリ装置１００は、制御部１０１、記憶部（メッセージ記憶部）１０２、鳴動部（鳴動手段）１０５、モデム１１０、網制御部１１１、コードレス用制御回路１１２、アンテナ１１３、回線接続端子１１４、表示部１２１、キー操作部１３１、印刷部１４０、画像読み取り部１４１、およびＩＤ読み取り部（識別データ受信手段）１５１によって構成されている。そして回線接続端子１１４で公衆回線網３００と接続している。また、ファクシミリ装置１００と無線タグ（識別端末）２００とで通信システムが構成されている。無線タグ２００は、ＩＤ情報を有するタグで、無線通信によりＩＤ情報を送信することができる。これは、例えばＲＦＩＤ（Radio Frequency Identification）を用いることが考えられる。
【００２９】
また、制御部１０１は、処理部１０３、応答部（メッセージ通知手段）１０４、表示制御部１２０、キー操作制御部１３０およびＩＤ検出部（識別データ受信手段）１５０によって構成されている。そして、図２はファクシミリ装置１００の概観図である。ユーザは、表示部１２１に表示されている内容を見て、キー操作部１３１を用いてファクシミリ装置１００における、着番号と応答メッセージの登録等の操作することができる。
【００３０】
次にファクシミリ装置１００の各部について説明する。ファクシミリ装置１００は、公衆回線網３００と回線接続端子１１４で接続されている。そして、回線接続端子１１４は網制御部１１１と接続されており、網制御部１１１は、回線接続端子１１４を介して、公衆回線網３００の状況を監視すると共に、回線をモデム１１０側とコードレス用制御回路１１２側とに切り替える。
【００３１】
応答部１０４は、外線からの着信があると処理部１０３を介して着信番号を示す着信番号情報を受信し、着信番号は何番かを認識する。そして、自動応答設定がされている電話番号と一致するか否かを判断する。そして自動応答設定がされている電話番号を一致すると判断すると、鳴動部１０５に対し鳴動を行わない指示信号を送信するとともに、ＩＤ検出部１５０に対し、ＩＤ検出を行うように指示信号を送信する。そして、ＩＤ検出部１５０から受信した、ＩＤ検出部１５０が検出したＩＤを示す信号から、該当するＩＤと対応する応答メッセージを記憶部１０２から取得する。そして、取得した応答メッセージを処理部１０３、モデム１１０、網制御部１１１および回線接続端子１１４を介して公衆回線網３００へ送信する。また、検出したＩＤがなければ、その旨を応答メッセージとして送信する。応答メッセージの具体的な内容は後述する。また、自動応答の設定は、複数ある電話番号のうち、どの電話番号に対し自動応答を行うかを設定することで行う。
【００３２】
ＩＤ検出部１５０は、処理部１０３を介して応答部１０４からＩＤを検出する信号を受信するとＩＤ読み取り部１５１でＩＤの読み取りを行う。そしてＩＤ読み取り部１５１で読み取ったＩＤを示す信号を応答部１０４へ送信する。
【００３３】
ＩＤ読み取り部１５１は、検出可能な範囲内にある無線タグ２００が有するＩＤを非接触で読み取ることが可能な装置である。ＩＤ読み取り部１５１は、ＩＤ検出部１５０からＩＤを読み取る信号を受信するとＩＤの読み取りを行い、読み取ったＩＤを示す信号をＩＤ検出部１５０へ送信する。
【００３４】
記憶部１０２は、応答メッセージ、応答メッセージと対応する応答メッセージ番号、ＩＤと応答メッセージ番号との対応関係を記憶している。図３に記憶部１０２が記憶しているＩＤと応答メッセージ番号との対応関係を示す設定テーブルを示す。図３は、ＩＤと応答メッセージの割り当て設定テーブルと、割り当ての元となる応答メッセージテーブルである。
【００３５】
図３に示すように、例えば、ＩＤが「０１２３４５６７８９９９」だった場合、３番の応答メッセージである「ちょうなん」というメッセージが対応する。また、ＩＤが「１２３１２３４５６４５６」だった場合、１番の応答メッセージである「おとうさん」というメッセージが対応する。以下、同じようにＩＤと応答メッセージが対応している。
【００３６】
上記内容の記憶は以下のようにして行う。まず、ユーザは、識別したい個人が有する無線タグ２００から個人を特定できるＩＤを、ＩＤ読み取り部１５１で読み取らせるか、キー操作部１３１を使用して直接入力するかなどして、記憶部１０２に記憶させる。次に、記憶部１０２に記憶されている応答メッセージから、記憶した個々のＩＤと対応する個人を説明づけられる内容の応答メッセージを選択し、上記ＩＤに割り当てて記憶させる。
【００３７】
なお、このとき、あらかじめファクシミリ装置１００に保存されている応答メッセージに、ＩＤに対応する個人を説明づけられるものが無かった場合、ユーザが自由に録音した音声データを応答メッセージとして割り当てることもできる。
【００３８】
記憶部１０２は、上記設定テーブルだけではなく、ファクシミリ装置１００を制御するプログラム、ユーザ設定値、および受信画像データ等、停電時も保存する必要がある情報等を記憶している。記憶部１０２の具体例としては、プログラムについては、読み出し専用のメモリであるＲＯＭ（Read Only Memory）が挙げられ、一時的な処理のために記憶するものについてはＲＡＭ（Random Access Memory）が挙げられ、停電時も保存する必要がある情報等については、フラッシュメモリ等が挙げられる。
【００３９】
処理部１０３は、記憶部１０２に記憶されているプログラムによりファクシミリ装置１００の各部の処理を行う。これは、公衆回線網３００からの信号、キー操作部１３１からの入力信号、ファクシミリ装置１００の各部からの信号等をもとに上記プログラムにより処理を行う。
【００４０】
鳴動部１０５は、電話の着信時等に音等で着信等を知らせるものである。これは、処理部１０３から信号を受信することによって行う。
【００４１】
モデム１１０は、ファクシミリ装置１００のディジタル信号を公衆回線網３００に適したアナログ信号に変調するとともに、公衆回線網３００のアナログ信号をファクシミリ装置１００で行う処理のためにディジタル信号に復調する。
【００４２】
表示部１２１は、ファクシミリ装置１００における各処理の状態、ファクシミリ装置１００で受信した画像、画像読み取り部１４１で読み取った画像等が表示される。ユーザは、表示部１２１に表示された内容を確認することにより、次の処理を指示することができる。また、受信した画像や読み取った画像が表示されるので、不必要な印刷を防ぐことができる。この表示部１２１は、各処理の状態や画像の表示ができれば、どのような表示装置で実現されてもよいが、例えば液晶表示装置が挙げられる。
【００４３】
表示制御部１２０は、表示部１２１に表示させる表示内容を示す信号を処理部１０３を介して受信し、表示部１２１に送信する。
【００４４】
キー操作部１３１は、ユーザによるファクシミリ装置１００に対する処理の指示の入力を受けつける。キー操作制御部１３０は、キー操作部１３１によって受けつけられた指示を示す信号を受信し、処理部１０３を介して、信号に示された処理を行う各部へ送信する。
【００４５】
ユーザは、表示部１２１に表示された、ファクシミリ装置１００の各処理の状態および各パラメータ等の設定状況からファクシミリ装置１００の状態を把握し、キー操作部１３１を用いることによって、ファクシミリ装置１００の処理や各種パラメータ等の設定を行うことができる。
【００４６】
印刷部１４０は、受信した、または画像読み取り部１４１が読み取った画像の印刷を行う。印刷部１４０で行う印刷の方式としては、サーマル方式、熱転写方式、インクジェット方式等が挙げられる。
【００４７】
画像読み取り部１４１は、原稿を送信するときや、コピーするときの原稿を読み取る。画像読み取り部１４１で行う読み取り方式としては、レンズとＣＣＤラインセンサの組合せによる縮小読み取り方式、ロッドレンズアレーを用いた密着センサー方式などが挙げられる。
【００４８】
本実施の形態におけるファクシミリ装置１００は、複数台のコードレス子機と接続することが可能である。そして、コードレス用制御回路１１２は、コードレス子機との通信を制御する。コードレス用制御回路１１２は、子機との接続のための通信路の探索、接続の確立、通話、電波発信、受信のためのチューナ等を含んでいる。アンテナ１１３は、子機との送受信を行う電波の発信、受信を行う。
【００４９】
次に、ファクシミリ装置１００が外線から着信し、終了するまでの処理の流れを図４、図５を用いて説明する。図４は、ファクシミリ装置１００が外線を着信してから終了するまでの流れを示すフローチャート、図５は、着信後、ＩＤを検出する場合のフローチャートである。
【００５０】
図４に示すように、ファクシミリ装置１００は外線着信がある（Ｓ４０１）と、着信番号を示す着信番号情報を受信する（Ｓ４０２）。そして、応答部１０４は、着信番号情報を解析して着信番号は何番かを認識する（Ｓ４０３）。次に、応答部１０４は、認識した着信番号が自動応答設定がされている番号と一致するか否かを判断する（Ｓ４０４）。
【００５１】
そして、着信番号が自動応答設定されている番号と一致する場合（Ｓ４０４でＹＥＳ）、着信音は鳴動することなく、応答部１０４は応答を行う（Ｓ４０５）。具体的には、応答メッセージを送信する。その後、応答メッセージの送信が終了すると、回線を切断して終了する（Ｓ４０７）。
【００５２】
一方、着信番号が自動応答設定されている番号とは一致しない場合（Ｓ４０４でＮＯ）、通常の外線着信となり、着信音が鳴動する（Ｓ４０６）。そして、外線終了後、回線を切断する（Ｓ４０７）。
【００５３】
次に図５を用いて、応答を行うときに、ＩＤを検出する場合の流れを説明する。ファクシミリ装置１００は外線着信がある（Ｓ５０１）と、着信番号を示す着信番号情報を受信する（Ｓ５０２）。そして、応答部１０４は、着信番号情報を解析して着信番号は何番であるかを認識する（Ｓ５０３）。次に、応答部１０４は、認識した着信番号が自動応答設定がされている番号と一致するか否かを判断する（Ｓ５０４）。
【００５４】
そして、着信番号が自動応答設定されている番号と一致する場合（Ｓ５０４でＹＥＳ）、着信音は鳴動することなく、応答部１０４は応答を開始する（Ｓ５０５）。まずは、ＩＤ検出部１５０がＩＤ読み取り部１５１を介して、検出可能な範囲に存在する無線タグ２００のＩＤを検出する（Ｓ５０６）。そして、検出されたＩＤがあれば（Ｓ５０６でＹＥＳ）、応答部１０４は、検出されたＩＤと対応する応答メッセージを送信する（Ｓ５０７）。ここで、複数のＩＤを検出した場合は、検出したＩＤに対応するメッセージを順番に送信する。一方、ＩＤが検出されなければ（Ｓ５０６でＮＯ）、応答部１０４は、検出されたＩＤはなかった旨の送信を行う（Ｓ５０８）。そして、応答は終了し（Ｓ５０９）、回線を切断して終了する（Ｓ５１１）。
【００５５】
一方、着信番号が自動応答設定されている番号とは一致しない場合（Ｓ５０４でＮＯ）、通常の外線着信となり、着信音が鳴動する（Ｓ５１０）。そして、外線終了後、回線を切断する（Ｓ５１１）。
【００５６】
（具体例）
ここで、本実施の形態を具体的に用いた場合の流れを説明する。まずファクシミリ装置１００には、複数の異なる電話番号としてＡ、Ｂ、Ｃ、Ｄ、Ｅの５つ電話番号が割り当てられているとする。そして、ファクシミリ装置１００のユーザとして、父ａ、母ｂ、祖父ｃ、長男ｄ、長女ｅがいるものとする。そして各人が無線タグ２００を所有しており、それぞれの無線タグ２００のＩＤは、父ａが「１２３１２３４５６４５６」、母ｂが「９１８２７３６４５０００」、祖父ｃが「３３７７４４８８５５９９」、長男ｄが「０１２３４５６７８９９９」、長女ｅが「５５５６６６７７７８８８」とする。また、ＩＤと応答メッセージとの対応は、図３に示す設定テーブルのとおりに設定されているものとし、相手に送信される内容は「現在の在宅者は（応答メッセージの内容）です。」となるものとする。
【００５７】
まず、ファクシミリ装置１００のどの番号を自動応答用にするかを設定する。ここでは、電話番号Ｄを自動応答用に設定したとする。そして、ファクシミリ装置１００から無線タグ２００のＩＤを検出できる範囲に祖父ｃ、長男ｄ、および長女ｅがいたとする。
【００５８】
外線から、電話番号Ｄに対し、電話がかかってきた場合、電話番号Ｄは自動応答用なので、着信音が鳴動することなく、応答が開始される。そして、無線タグ２００のＩＤ検出が行われ、祖父ｃ、長男ｄ、および長女ｅのＩＤが検出される。図３の設定テーブルによると、それぞれのＩＤに対応する応答メッセージは「おじいさん」、「ちょうなん」、および「ちょうじょ」なので、外線の相手には、「現在の在宅者は、“おじいさん”、“ちょうなん”、“ちょうじょ”です」というメッセージが送信される。また、検出されたＩＤがなければ「現在の在宅者は、いません」というメッセージが送信される。
【００５９】
これにより、ユーザは、ファクシミリ装置１００の特定の電話番号を自動応答用に設定すれば、その後に、自動応答設定をその都度変更することなく応答が可能となる。そして、電話がかかってきたときに着信音を鳴らすこともなく、電話の相手は、現在の在宅状況を知ることができる。例えば、母親が、「自宅に子供がいるか確認したいが眠っているかもしれない」というような状況のときに、子供を起こす虞がなく、子供の在宅状況を確認することができる。また、複数の電話番号のうちから任意の電話番号を自動応答用にするので、それ以外の他の電話番号には影響を及ぼさない。
【００６０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００６１】
また、上記実施の形態ではファクシミリ装置として説明したが、本発明はファクシミリ装置に限られるものではなく、複数の異なる電話番号が割り当てられた、応答機能を有する一般的な電話端末装置であれば適用できる。
【００６２】
最後に、ファクシミリ装置１００の各ブロック、特に処理部１０３、応答部１０４、表示制御部１２０、キー操作制御部１３０、およびＩＤ検出部１５０は、ハードウェアロジックによって構成してもよいし、次のようにＣＰＵを用いてソフトウェアによって実現してもよい。
【００６３】
すなわち、ファクシミリ装置１００は、各機能を実現する制御プログラムの命令を実行するＣＰＵ（central processing unit）、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアであるファクシミリ装置１００の制御プログラムのプログラムコード（実行形式プログラム、中間コードプログラム、ソースプログラム）をコンピュータで読み取り可能に記録した記録媒体を、上記ファクシミリ装置１００に供給し、そのコンピュータ（またはＣＰＵやＭＰＵ）が記録媒体に記録されているプログラムコードを読み出し実行することによっても、達成可能である。
【００６４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００６５】
また、ファクシミリ装置１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００６６】
電話端末装置を鳴動させることなく電話端末装置の所属ユーザの状況を確認できるので、電話端末装置を鳴動させずにユーザの状況を確認したい場合、例えば、小さい子供が電話端末装置の近辺で寝ている場合等に対応でき、小さい子供のいる家庭等の電話端末装置に適用できる。
【図面の簡単な説明】
【００６７】
【図１】本発明の実施形態を示すものであり、電話端末装置の要部構成を示すブロック図である。
【図２】上記電話端末装置の概観を示す図である。
【図３】上記電話端末装置の記憶部に記憶されている設定テーブルを示す図である。
【図４】上記電話端末装置における処理の流れを示すフローチャートである。
【図５】上記電話端末装置における処理の流れを示すフローチャートである。
【符号の説明】
【００６８】
１００    ファクシミリ装置
１０２    記憶部（メッセージ記憶部）
１０３    処理部
１０４    応答部（メッセージ通知手段）
１０５    鳴動部（鳴動手段）
１１０    モデム
１１１    網制御部
１１２    コードレス用制御回路
１１３    アンテナ
１１４    回線接続端子
１２０    表示制御部
１２１    表示部
１３０    キー操作制御部
１３１    キー操作部
１４０    印刷部
１４１    画像読み取り部
１５０    ＩＤ検出部（識別データ受信手段）
１５１    ＩＤ読み取り部（識別データ受信手段）
２００    無線タグ（識別端末）
【図１】
2009005027.tif 000003
【図２】
2009005027.tif 000004
【図３】
2009005027.tif 000005
【図４】
2009005027.tif 000006
【図５】
2009005027.tif 000007